(57)【要約】【課題】折り畳みおよび組立てが容易に行える折畳式椅子を提供すること。【解決手段】一対の前側脚部材３２，３２および一対の後側脚部材３４，３４を蝶番２４の軸を回転中心として、折曲部３２ｂ，３４ｂが互いに近付く方向および互いに遠ざかる方向に回転可能に構成すると共に、座部１４を連結軸５２を介して一対の前側脚部材３２，３２に対して回転可能に支持する構成とする。これにより、蝶番２４の軸および連結軸５２を回転中心として、一対の前側脚部材３２，３２、一対の後側脚部材３４，３４および座部１４を回転させるのみで容易に折畳式椅子１をコンパクトな折畳み状態と組立て状態とに状態変更することができる。【選択図】図９
2018153280.tif 000002
【特許請求の範囲】
【請求項１】
折畳み状態および組立て状態に変形可能に構成された折畳式椅子であって、
長尺状に構成された第１および第２前側脚部材と、
長尺状に構成され前記第１および第２前側脚部材に対応して設けられた第１および第２後側脚部材と、
前記第１および第２前側脚部材を連結する第１連結梁部材と、
前記第１および第２後側脚部材を連結する第２連結梁部材と、
前記第１および第２前側脚部材の長手方向の一端部と前記第１および第２後側脚部材の長手方向の一端部とを回転可能に連結する第１および第２回転連結部材と、
前記第１および第２前側脚部材の長手方向の他端部と前記第１および第２後側脚部材の長手方向の他端部とが互いに離れた状態となる前記組立て状態において前記第１および第２前側脚部材と前記第１および第２後側脚部材との相対回転を規制する規制部材と、
前記第１または第２連結梁部材の一方に回転可能に取り付けられると共に、前記組立て状態において前記第１および第２連結梁部材に支持されるよう構成された座部と、
を備える折畳式椅子。
【請求項２】
前記組立て状態において前記座部を前記第１または第２連結梁部材の他方に固定可能な固定部材をさらに備える
請求項１に記載の折畳式椅子。
【請求項３】
前記第１および第２前側脚部材は、前脚本体部と、前記一端部において該前脚本体部に対して折れ曲げ状に形成された第１前脚折曲部と、を有しており、
前記第１および第２後側脚部材は、後脚本体部と、前記一端部において該後脚本体部に対して折れ曲げ状に構成された第１後脚折曲部と、を有しており、
前記第１および第２回転連結部材は、前記第１前脚折曲部および前記第１後脚折曲部を回転可能に連結するよう構成されており、
前記第１および第２回転連結部材によって連結された前記第１前脚折曲部および前記第１後脚折曲部によって肘掛部が構成される
請求項１または２に記載の折畳式椅子。
【請求項４】
前記第１および第２回転連結部材によって連結された前記第１前脚折曲部および前記第１後脚折曲部の連結部を覆う被覆部材をさらに備え、
該被覆部材は、弾力性を有する部材により構成されている
請求項３に記載の折畳式椅子。
【請求項５】
前記第１および第２前側脚部材は、前記他端部において前記前脚本体部に対して折れ曲げ状に構成された第２前脚折曲部を有しており、
前記第１および第２後側脚部材は、前記他端部において前記後脚本体部に対して折れ曲げ状に構成された第２後脚折曲部を有しており、
前記第１および第２前側脚部材の長手方向の一端部と前記第１および第２後側脚部材の長手方向の一端部とが前記第１および第２回転連結部材によって連結された際に、前記第２前脚折曲部と前記第２後脚折曲部とが互いに反対方向に延在するよう構成されている
請求項３または４に記載の折畳式椅子。
【請求項６】
前記規制部材は、前記第１および第２前側脚部材の長手方向の他端部と前記第１および第２後側脚部材の長手方向の他端部とが互いに近接した状態となる前記折畳み状態において前記第１および第２前側脚部材と前記第１および第２後側脚部材との相対回転を規制可能に構成されている
請求項１ないし５のいずれか１項に記載の折畳式椅子。
【請求項７】
前記第１および第２後側脚部材の前記他端部には、前記折畳式椅子が該第１および第２後側脚部材が配置された後側に転倒することを防止する転倒防止部材をさらに備えており、
該転倒防止部材は、前記第１および第２後側脚部材の長手方向に沿う状態となる収容位置と、前記第１および第２後側脚部材の長手方向に交差する方向であって前記後側に延在する状態となる転倒防止位置と、に状態変更可能に構成されている
請求項１ないし６のいずれか１項に記載の折畳式椅子。
【請求項８】
足置き台をさらに備え、
該足置き台は、前記第１および第２前側脚部材に回転可能に支持されており、前記折畳み状態においては前記第１および第２前側脚部材の長手方向に略沿う状態となり、前記組立て状態においては前記第１および第２前側脚部材に関して前記第１および第２後側脚部材が配置された側とは反対側に突出する状態となるよう構成されている
請求項１ないし７のいずれか１項に記載の折畳式椅子。
【請求項９】
前記座部には背凭れ部が一体に形成されている
請求項１ないし８のいずれか１項に記載の折畳式椅子。
【発明の詳細な説明】
【技術分野】
【０００１】
本発明は、折り畳み状態および組立て状態に変形可能に構成された折畳式椅子に関する。
【背景技術】
【０００２】
特開２０１１−２３４９８９号公報（特許文献１）には、左右一対の脚部材と、当該左右一対の脚部材を連結する前後一対の連結部材と、左右一対の脚部材間に配置されるように連結部材上に固定される座部および当該座部に一体形成された背凭れ部を有する本体部材と、を備える組立式椅子が記載されている。当該組立式椅子では、左右一対の脚部材、前後一対の連結部材および本体部材は分解された状態で梱包されてユーザに配送され、ユーザ自身が組み立てる構成である。
【先行技術文献】
【特許文献】
【０００３】
【特許文献１】特開２０１１−２３４９８９号公報
【発明の概要】
【発明が解決しようとする課題】
【０００４】
しかしながら、上述した公報に記載の組立式椅子では、組み立てに際し、各部材間のネジ孔同士やビス孔同士を整合させる必要があるなど、一人では組み立て難い場合もあり、組立て性という観点において、なお改良の余地がある。また、当該組立式椅子では、一旦組立てた後における収納スペースの確保という点においても、なお改良の余地がある。
【０００５】
本発明は、上記に鑑みてなされたものであり、折り畳みおよび組立てが容易に行える折畳式椅子を提供することを目的とする。
【課題を解決するための手段】
【０００６】
本発明の折畳式椅子は、上述の目的を達成するために以下の手段を採った。
【０００７】
本発明に係る折畳式椅子の好ましい形態によれば、折畳み状態および組立て状態に変形可能に構成された折畳式椅子が構成される。当該折畳式椅子では、長尺状に構成された第１および第２前側脚部材と、長尺状に構成され第１および第２前側脚部材に対応して設けられた第１および第２後側脚部材と、第１および第２前側脚部材を連結する第１連結梁部材と、第１および第２後側脚部材を連結する第２連結梁部材と、第１および第２前側脚部材の長手方向の一端部と第１および第２後側脚部材の長手方向の一端部とを回転可能に連結する第１および第２回転連結部材と、第１および第２前側脚部材の長手方向の他端部と第１および第２後側脚部材の長手方向の他端部とが互いに離れた状態となる組立て状態において第１および第２前側脚部材と第１および第２後側脚部材との相対回転を規制する規制部材と、第１または第２連結梁部材の一方に回転可能に取り付けられると共に組立て状態において第１および第２連結梁部材に支持されるよう構成された座部と、を備えている。
【０００８】
本発明によれば、第１および第２回転連結部材を回転中心として、前側脚部材および後側脚部材の長手方向の他端部同士が互いに近付く方向に当該前側脚部材および後側脚部材を回転させる、言い換えると、前側脚部材および後側脚部材の長手方向の一端部側を支点として前側脚部材および後側脚部材の長手方向の他端部同士が互いに近付く方向に前側脚部材および後側脚部材を折り畳むように回転させると共に、当該座部の延在方向が前側脚部材あるいは後側脚部材の長手方向に沿う方向に近付くように第１または第２連結梁部材の一方を回転中心として座部を回転させて折り畳み状態とすることによってコンパクトな折畳み状態を実現できる。また、当該折畳み状態から第１および第２回転連結部材を回転中心として、前側脚部材および後側脚部材の長手方向の他端部同士が互いに離れる方向に当該前側脚部材および後側脚部材を回転させると共に、座部が第１および第２連結梁部材によって支持される、即ち、座部が第１および第２連結梁部材に載置される状態となるまで当該座部を回転させることによって簡易に組立て状態とすることができる。なお、組立て状態においては、規制部材によって前側脚部材および後側脚部材の相対回転を規制する構成であるため、安定した座り心地を実現できる。
【０００９】
本発明に係る折畳式椅子の更なる形態によれば、組立て状態において座部を第１または第２連結梁部材の他方に固定可能な固定部材をさらに備えている。
【００１０】
本形態によれば、より安定した座り心地を実現できる。
【００１１】
本発明に係る折畳式椅子の更なる形態によれば、第１および第２前側脚部材は、前脚本体部と、一端部において当該前脚本体部に対して折れ曲げ状に形成された第１前脚折曲部と、を有している。また、第１および第２後側脚部材は、後脚本体部と、一端部において当該後脚本体部に対して折れ曲げ状に構成された第１後脚折曲部と、を有している。さらに、第１および第２回転連結部材は、第１前脚折曲部および第１後脚折曲部を回転可能に連結するように構成されている。そして、第１および第２回転連結部材によって連結された前脚折曲部および後脚折曲部により肘掛部が構成される。
【００１２】
本形態によれば、第１および第２回転連結部材によって連結された前脚折曲部および後脚折曲部により肘掛部が構成される、即ち、前側脚部材および後側脚部材の連結部によって肘掛部が設けられる構成であるため合理的である。
【００１３】
本発明に係る折畳式椅子の更なる形態によれば、第１および第２回転連結部材によって連結された前脚折曲部および後脚折曲部の連結部を覆う被覆部材をさらに備えている。そして、当該被覆部材は、弾力性を有する部材により構成されている。
【００１４】
本形態によれば、外観の向上を図ることができると共に、前脚折曲部および後脚折曲部の連結部が直接肘に接触することがないため安全性の向上にも資する。
【００１５】
本発明に係る折畳式椅子の更なる形態によれば、第１および第２前側脚部材は、他端部において前脚本体部に対して折れ曲げ状に構成された第２前脚折曲部を有している。また、第１および第２後側脚部材は、他端部において後脚本体部に対して折れ曲げ状に構成された第２後脚折曲部を有している。そして、第１および第２前側脚部材の長手方向の一端部と第１および第２後側脚部材の長手方向の一端部とが第１および第２回転連結部材によって連結された際に、第２前脚折曲部と第２後脚折曲部とが互いに反対方向に延在するように構成されている。
【００１６】
本形態によれば、組立て状態における折畳式椅子の安定性を向上できる。
【００１７】
本発明に係る折畳式椅子の更なる形態によれば、規制部材は、第１および第２前側脚部材の長手方向の他端部と第１および第２後側脚部材の長手方向の他端部とが互いに近接した状態となる折畳み状態において第１および第２前側脚部材と第１および第２後側脚部材との相対回転を規制可能に構成されている。
【００１８】
本形態によれば、折畳み状態において、前側脚部材および後側脚部材の相対回転が規制される構成であるため、折畳み状態を確実に維持できる。これにより、例えば、折畳式椅子を折畳み状態で運ぶ際に前側脚部材および後側脚部材が回転することを防止できるため、運搬時の安全性の向上を図ることができる。
【００１９】
本発明に係る折畳式椅子の更なる形態によれば、第１および第２後側脚部材の他端部には、折畳式椅子が当該第１および第２後側脚部材が配置された後側に転倒することを防止する転倒防止部材をさらに備えている。そして、当該転倒防止部材は、第１および第２後側脚部材の長手方向に沿う状態となる収容位置と、第１および第２後側脚部材の長手方向に交差する方向であって後側に延在する状態となる転倒防止位置と、に状態変更可能に構成されている。
【００２０】
本形態によれば、組立て状態における折畳式椅子の安定性をより一層向上することができる。しかも、折畳み状態においては、転倒防止部材を第１および第２後側脚部材の長手方向に沿う状態で収容することができるため、折畳み状態におけるコンパクト性を損ねることがない。
【００２１】
本発明に係る折畳式椅子の更なる形態によれば、足置き台をさらに備えている。当該足置き台は、第１および第２前側脚部材に回転可能に支持されている。そして、当該足置き台は、折畳み状態においては、第１および第２前側脚部材の長手方向に略沿う状態となり、組立て状態においては、第１および第２前側脚部材に関して第１および第２後側脚部材が配置された側とは反対側に突出する状態となるように構成されている。
【００２２】
本形態によれば、組立て状態においては、足置き台に足を置くことができるため、座り心地が向上する。また、折畳み状態においては、足置き台を回転させて前側脚部材の長手方向にほぼ沿う状態とすることができるため、折畳み状態におけるコンパクト性を損なうことがない。
【００２３】
本発明に係る折畳式椅子の更なる形態によれば、座部には背凭れ部が一体に形成されている。
【００２４】
本形態によれば、組立て状態において使用する際に凭れることができるため、座り心地が向上する。
【発明の効果】
【００２５】
本発明によれば、折り畳みおよび組立てが容易で、かつ、収納スペースも確保し易い折畳式椅子を提供することができる。
【図面の簡単な説明】
【００２６】
【図１】本発明の実施の形態に係る折畳式椅子１の構成の概略を示す斜視構成図である。
【図２】本発明の実施の形態に係る折畳式椅子１を脚部材１２ａ側から見た側面図である。
【図３】本発明の実施の形態に係る折畳式椅子１の折畳み状態を示す説明図である。
【図４】座部１４の連結板５４への固定の様子を示す説明図である。
【図５】連結板５４の切欠き５４ａの形状を示す説明図である。
【図６】足置き台１８の構成の概略を示す概略構成図である。
【図７】本発明の実施の形態に係る折畳式椅子１の折畳みを開始した際の様子を示す説明図である。
【図８】固定部材８０による係合金具６２の連結板５４への固定を解除した状態を示す説明図である。
【図９】本発明の実施の形態に係る折畳式椅子１の折畳み最終段階の様子を示す説明図である。
【図１０】本発明の実施の形態に係る折畳式椅子１の折畳みが完了した際の様子を示す説明図である。
【図１１】本発明の実施の形態に係る折畳式椅子１の組立てを開始した際の様子を示す説明図である。
【図１２】本発明の実施の形態に係る折畳式椅子１の組立てが完了した際の様子を示す説明図である。
【図１３】係合金具６２を連結板５４へ係合する際の様子を示す説明図である。
【図１４】係合金具６２を連結板５４へ係合する際の様子を図４の矢印Ｄ方向から見た矢視図である。
【図１５】固定部材８０のネジ部８６が連結板５４の切欠き５４ａの鉛直部５５ｂに係合した状態を示す説明図である。
【図１６】固定部材８０のネジ部８６が連結板５４の切欠き５４ａの鉛直部５５ｂに係合した状態を図４の矢印Ｄ方向から見た矢視図である。
【図１７】固定部材８０のネジ部８６が連結板５４の切欠き５４ａの円形部５５ｃに係合した状態を示す説明図である。
【図１８】固定部材８０のネジ部８６が連結板５４の切欠き５４ａの円形部５５ｃに係合した状態を図４の矢印Ｄ方向から見た矢視図である。
【図１９】固定部材８０の抜け防止部８４が連結板５４の切欠き５４ａの円形部５５ｃに係合した状態を示す説明図である。
【図２０】本発明の第２実施例の折畳式椅子１００の構成の概略を示す斜視構成図である。
【図２１】本発明の第２実施例の折畳式椅子１００が組立て状態における転倒防止ストッパー１７０の様子を示す説明図である。
【図２２】本発明の第２実施例の折畳式椅子１００が折畳み状態における転倒防止ストッパー１７０の様子を示す説明図である。
【図２３】変形例の固定部材１８０および係合金具１６２の構成の概略を示す概略構成図である。
【図２４】変形例の固定部材１８０を用いた係合金具１６２の連結板５４の固定および固定の解除の様子を示す説明図である。
【発明を実施するための形態】
【００２７】
次に、本発明を実施するための最良の形態を実施例を用いて説明する。
【実施例１】
【００２８】
本発明の第１実施例としての折畳式椅子１は、図１に示すように、一対の脚部材１２ａ，１２ｂと、当該一対の脚部材１２ａ，１２ｂに支持された座部１４と、当該座部１４に一体成形された背凭れ部１６と、一対の脚部材１２ａ，１２ｂに設置された足置き台１８と、一対の脚部材１２ａ，１２ｂに取り付けられた一対のストッパー２０，２０と、肘掛けクッション２２と、を備えている。本実施の形態では、便宜上、図１中の紙面上方向に対応する方向を、「上側」ないし「上方」として規定し、図１中の紙面下方向に対応する方向を、「下側」ないし「下方」として規定する。また、図１中の紙面左方向に対応する方向を、「前側」ないし「前方」として規定し、図１中の紙面右方向に対応する方向を、「後側」ないし「後方」と規定する。さらに、図１中の紙面手前方向に対応する方向を、「左側」ないし「左方」と規定し、図１中の紙面奥方向に対応する方向を、「右側」ないし「右方」と規定する。
【００２９】
一対の脚部材１２ａ，１２ｂは、図２に示すように、前側脚部材３２と、後側脚部材３４と、から構成されている。前側脚部材３２は、図２に示すように、上下方向（図２の上下方向）に長い長尺状に構成されており、折畳式椅子１を左側から見た場合の側面形状が略Ｓ字状に形成されている。後側脚部材３４は、前側脚部材３２を前後方向（図２の左右方向）に反転した対称形状、即ち、上下方向（図２の上下方向）に長い長尺状に構成されており、折畳式椅子１を左側から見た場合の側面形状が略逆Ｓ字状に形成されている。
【００３０】
一対の脚部材１２ａ，１２ｂの各前側脚部材３２，３２は、図１に示すように、連結軸５２および足置き台１８によって連結されている。また、一対の脚部材１２ａ，１２ｂの各後側脚部材３４，３４は、連結板５４によって連結されている。連結軸５２および足置き台１８は、各前側脚部材３２，３２に対して回転可能に取り付けられている。連結板５４は、図４に示すように、連結板５４の上端部が連結軸５２と同じ高さ位置となるようにダボ（図示せず）などによって各後側脚部材３４，３４に固定的に取付けられている。
【００３１】
なお、連結板５４の上端部には、図５に示すように、切欠き５４ａが形成されている。当該切欠き５４ａは、折畳式椅子１の左右方向、即ち、連結板５４の幅方向（図５の左右方向）のほぼ中央部に形成されている。切欠き５４ａは、連結板５４の上端面から徐々に深さが深くなるように形成された傾斜部５５ａと、当該傾斜部５５ａから鉛直下方に延在するように形成された鉛直部５５ｂと、当該鉛直部５５ｂに連続して形成され切欠き５４ａの底部を形成する正面視略円形状の円形部５５ｃと、から構成されている。鉛直部５５ｂの幅は、後述する固定部材８０のネジ部８６の直径よりも若干大きい寸法に形成されており、円形部５５ｃの直径は、当該固定部材８０の抜け防止部８４の直径とほぼ同じか若干大きくなるように形成されている。なお、円形部５５ｃの直径は鉛直部５５ｂの幅よりも大きくなるように形成されている。
【００３２】
固定部材８０は、後述する係合金具６２を介して座部１４（図８には記載せず）を連結板５４に固定するための部材として構成されており、図８に示すように、取手８２と、取手８２に一体にされた円筒状の抜け防止部８４と、当該抜け防止部８４と同軸上に設けられたネジ部８６と、から構成されている。なお、ネジ部８６は、係合金具６２に形成されたネジ孔にネジ係合される。
【００３３】
前側脚部材３２および後側脚部材３４は、図２に示すように、前側脚部材３２の上側の折曲部３２ａの先端面と後側脚部材３４の上側の折曲部３４ａの先端面とを対向させた状態で蝶番２４によって連結されている。このとき、前側脚部材３２の下側の折曲部３２ｂおよび後側脚部材３４の下側の折曲部３４ｂは、互いに遠ざかる方向に延出している。このように、下側の折曲部３２ｂ，３４ｂを互いに遠ざかる方向に延出する構成とすることにより、当該折曲部３２ｂ，３４ｂがない場合に比べて折畳式椅子１を組立てたときの安定性を向上することができる。
【００３４】
なお、上側の折曲部３２ａ，３４ａによって肘掛部が構成される。このように、前側脚部材３２および後側脚部材３４の一部を肘掛部として利用する構成であるため、前側脚部材３２および後側脚部材３４とは別に肘掛部を設ける構成に比べて部品点数の削減を図ることができる。これにより、組立ておよび折畳みをより簡素なものとすることができる。折曲部３２ａ，３４ａは、それぞれ本発明における「第１前脚折曲部」および「第１後脚折曲部」に対応し、折曲部３２ｂ，３４ｂは、それぞれ本発明における「第２前脚折曲部」および「第２後脚折曲部」に対応する実施構成の一例である。
【００３５】
蝶番２４は、図２に示すように、折曲部３２ａの下面および折曲部３４ａの下面に締結されている。これにより、前側脚部材３２および後側脚部材３４は、蝶番２４の軸を回転中心として回転可能となっている。具体的には、前側脚部材３２および後側脚部材３４は、図２に示すように、折曲部３２ｂおよび折曲部３４ｂが互いに遠ざかった状態、即ち、折畳式椅子１を左側から見た場合の側面形状が略逆Ｕ字状の状態（後述する「組立て状態」）から、図３に示すように、折曲部３２ｂおよび折曲部３４ｂが互いに近接した状態（後述する「折畳み状態」）までの範囲で相対的に回転することができる。なお、折曲部３２ａの先端面および折曲部３４ａの先端面は、曲面に形成されており、これにより、前側脚部材３２および後側脚部材３４の回転が円滑に行われる。蝶番２４は、本発明における「第１回転連結部材」および「第２回転連結部材」に対応する実施構成の一例である。
【００３６】
座部１４の底面には、図４に示すように、連結軸５２が溶接等によって固定的に取り付けられている。これにより、座部１４は、連結軸５２を回転軸として前側脚部材３２，３２に対して回転可能に支持される。また、座部１４の底面であって連結軸５２が固定された位置よりも後側（図４の右側）の位置には、係合金具６２が取り付け固定されている。
【００３７】
係合金具６２は、鋼板などを曲げ加工することによって構成されており、図４に示すように、折畳式椅子１を左側から見た場合の側面形状が略Ｖ字状となるように構成されている。即ち、係合金具６２は、水平方向に平行となるように構成された上面部６２ａと、当該上面部６２ａに鈍角をもって交差するように構成された後面部６２ｂと、から構成されている。後面部６２ｂには、ネジ孔が形成されており、当該ネジ孔に固定部材８０がネジ係合されるように構成されている。なお、係合金具６２は、折畳式椅子１の左右方向、即ち、座部１４の左右方向のほぼ中央に取り付けられている。背凭れ部１６は、図１に示すように、座部１４に一体に成形されている。背凭れ部１６と座部１４とのなす角は、図２に示すように、ほぼ直角となっている。
【００３８】
足置き台１８は、図６に示すように、平面視略長方形状の板状部１８ａと、当該板状部１８ａの長手方向両端部に取り付けられた一対の金具１８ｂ，１８ｃと、から構成されている。金具１８ｂ，１８ｃは、後述する支持部１９ａと折曲部１９ｂの折り曲げ方向、および、ピン部材１９ｃの突出方向が互いに逆方向となっている点を除いて、基本的には同一の構成をしている。したがって、以下では、説明の便宜上、金具１８ｂを例に挙げて説明をし、金具１８ｂについては説明を省略する。なお、金具１８ｂの構成のうち金具１８ｂの構成に相当する構成については同一の符号を付すものとする。
【００３９】
金具１８ｂは、板状部１８ａの底面に当接して当該板状部１８ａを支える支持部１９ａと、当該支持部１９ａに対して直角に折り曲げられた折曲部１９ｂと、から構成されている。支持部１９ａの板状部１８ａへの当接面とは反対側の面には、図６に示すように、ピン部材１９ｃが溶接等により固定されている。当該ピン部材１９ｃは、板状部１８ａの長手方向に突出している。折曲部１９ｂは、板状部１８ａの長手方向に沿う方向の一方側から見た場合に倒れ逆Ｐ字状に形成されている。即ち、「Ｐ字」の頭部に相当する部分には貫通孔Ｈが形成されている。
【００４０】
こうして構成された足置き台１８は、一対の前側脚部材３２，３２の内側に配置された状態（一対の前側脚部材３２，３２間に挟まれた状態）で、一対の前側脚部材３２，３２の外側から嵌合される取付ピンＭＰが一対の金具１８ｂ，１８ｃの折曲部１９ｂ，１９ｂの貫通孔Ｈ，Ｈに挿通されることによって、一対の前側脚部材３２，３２に対して回転可能に取り付けられる（図１参照）。
【００４１】
なお、当該一対の前側脚部材３２，３２に対する足置き台１８の回転は、一対の金具１８ｂ，１８ｃのピン部材１９ｃ，１９ｃによってその回転範囲が規制される。具体的には、足置き台１８は、図２に示すように、板状部１８ａが一対の前側脚部材３２，３２の長手方向に対して交差する方向、即ち、水平方向に突出した状態から、板状部１８ａが一対の前側脚部材３２，３２の長手方向にほぼ沿うような状態となるまで回転することができる。ここで、足置き台１８は、板状部１８ａが一対の前側脚部材３２，３２の長手方向にほぼ沿うような状態となったときに、当該状態を維持するような力が足置き台１８に作用するように、即ち、足置き台１８を時計回り方向に回転させる力が当該足置き台１８に作用ように重心位置が設定されている。
【００４２】
一対のストッパー２０，２０は、図１および図２に示すように、前側脚部材３２，３２に回転可能に取り付けられており、後側脚部材３４，３４に取り付けられた二つの係止ピンＰ１，Ｐ２と係合可能なように構成されている。係止ピンＰ１は、ストッパー２０の回転軸２０ａとほぼ同じ高さに設けられており、係止ピンＰ２は、係止ピンＰ１よりも上方に設けられている。一対のストッパー２０，２０は、本発明における「規制部材」に対応する実施構成の一例である。
【００４３】
当該一対のストッパー２０，２０が係止ピンＰ１，Ｐ２に係合されることによって、前側脚部材３２および後側脚部材３４の相対回転が規制される。即ち、一対のストッパー２０，２０が係止ピンＰ１に係合されると組立て状態が維持され、一対のストッパー２０，２０が係止ピンＰ２に係合されると折畳み状態が維持される。
【００４４】
肘掛けクッション２２，２２は、弾力性のあるメッシュ生地により構成れており、図２に示すように、ゴムＲなどの弾性部材を介して折曲部３２ａおよび折曲部３４ａの連結部を覆うように構成されている。なお、ゴムＲなどの弾性部材は、タッカーなどの工具を用いて針で折曲部３２ａおよび折曲部３４ａの上面に固定しておくことが望ましい。肘掛けクッション２２，２２およびゴムＲは、本発明における「被服部材」に対応する実施構成の一例である。
【００４５】
次に、こうして構成された折畳式椅子１の折り畳み方法および組み立て方法について説明する。まず、折畳式椅子１の折り畳み方法について説明する。組立て状態にある折畳式椅子１を折り畳むには、図７および図８に示すように、固定部材８０を緩み方向に回転させて当該固定部材８０による座部１４（係合金具６２）の連結板５４への固定を解除すると共に、図７に示すように、一対のストッパー２０，２０を回転軸２０ａを中心に反時計回りに回転させて一対のストッパー２０，２０の係止ピンＰ１に対する係合を解除する。
【００４６】
続いて、図９に示すように、折曲部３２ｂおよび折曲部３４ｂが互いに近づく方向に一対の前側脚部材３２，３２および一対の後側脚部材３４，３４を蝶番２４の軸を中心に回転させて一対の脚部材１２ａ，１２ｂ（図９には脚部材１２ａのみ記載）を折畳み状態とすると共に、座部１４の延在方向（座部１４の前後方向であって図７の左右方向）が後側脚部材３４，３４の長手方向に沿う方向に近付くように座部１４を連結軸５２を中心に反時計回りに回転させて折畳み状態にする。なお、座部１４を折畳み状態にしたときには、折畳式椅子１を左側から見た場合、図９に示すように、座部１４および背凭れ部１６が略「く」の字を構成する。
【００４７】
また、座部１４を折畳み状態にする際に、図７および図９に示すように、足置き台１８を取付ピンＭＰを中心に時計回りに回転させて、当該足置き台１８を一対の前側脚部材３２，３２の長手方向にほぼ沿う状態（折畳み状態）にする。ここで、足置き台１８は、折畳み状態となったときには、当該状態を維持するような力が足置き台１８に作用するように（足置き台１８を時計回り方向に回転させる力が当該足置き台１８に作用ように）重心位置が設定されているため、足置き台１８を折畳み状態に維持しておくために別途ストッパー機構を設ける必要がない。
【００４８】
そして、図１０に示すように、一対のストッパー２０，２０を回転軸２０ａを中心に時計回りに回転させて一対のストッパー２０，２０を係止ピンＰ２に係合して一対の前側脚部材３２，３２および一対の後側脚部材３４，３４の相対回転を規制させて折畳式椅子１の折畳みが完了する。
【００４９】
このように、本発明の実施の形態に係る折畳式椅子１によれば、一対の脚部材１２ａ，１２ｂを折り畳む共に座部１４を回転させるのみであるため、容易にコンパクトな折畳み状態を実現することができる。
【００５０】
次に、折畳式椅子１の組み立て方法について説明する。折畳み状態にある折畳式椅子１を組み立てるには、基本的には、折畳式椅子１を折り畳む際の手順と反対の手順を踏むことにより実現できる。具体的には、まず、図１１に示すように、一対のストッパー２０，２０を回転軸２０ａを中心に反時計回りに回転させて一対のストッパー２０，２０の係止ピンＰ２に対する係合を解除する。
【００５１】
続いて、図１２に示すように、折曲部３２ｂおよび折曲部３４ｂが互いに遠ざかる方向に一対の前側脚部材３２，３２および一対の後側脚部材３４，３４を蝶番２４の軸を中心に回転させて一対の脚部材１２ａ，１２ｂ（図１２には脚部材１２ａのみ記載）を組立て状態とすると共に、座部１４の底面が連結板５４に当接するまで座部１４を連結軸５２を中心に反時計回りに回転させる。ここで、座部１４の底面を連結板５４に当接させる際に、座部１４の底面に取り付けられた係合金具６２および当該係合金具６２にネジ係合された固定部材８０が連結板５４の切欠き５４ａに係合される（図１３ないし図１９参照）。
【００５２】
具体的には、図１３および図１４に示すように、固定部材８０がネジ係合された状態の係合金具６２が連結板５４の上方から接近してくる。そして、図１５および図１６に示すように、固定部材８０のネジ部８６が切欠き５４ａの傾斜部５５ａを通って鉛直部５５ｂに到達する。鉛直部５５ｂの幅寸法は、固定部材８０のネジ部８６の直径よりも若干大きい寸法に形成されているため、ネジ部８６は鉛直部５５ｂを通過するが、このときに、座部１４の左右方向（図１６の左右方向）の位置決めが行われる。
【００５３】
こうして鉛直部５５ｂを通過したネジ部８６が図１７および図１８に示すように、円形部５５ｃに到達すると、ネジ部８６が締まる方向に固定部材８０を回転させる。これにより、固定部材８０のネジ部８６がねじ込まれ、固定部材８０が係合金具６２側に引き込まれる。
【００５４】
そして、固定部材８０の抜け防止部８４が、図１９に示すように、円形部５５ｃに係合される。抜け防止部８４の直径は円形部５５ｃの直径と同じか若干大きくなるように、かつ、鉛直部５５ｂの幅よりも大きく形成されているため、座部１４の上方（図１８の上方向）への移動が固定部材８０を介して規制される。これにより、折畳式椅子１を組立て状態とした後に座部１４が回転することが防止されるため、安全性が確保される。
【００５５】
座部１４の連結板５４への固定が完了したら、図１２に示すように、足置き台１８を取付ピンＭＰを中心に反時計回りに回転させて足置き台１８を一対の前側脚部材３２，３２に対して水平方向に突出させる。そして、一対のストッパー２０，２０を回転軸２０ａを中心に時計回りに回転させて一対のストッパー２０，２０を係止ピンＰ１に係合させて一対の前側脚部材３２，３２および一対の後側脚部材３４，３４の相対回転を規制して折畳式椅子１の組立てが完了する。
【００５６】
以上、本発明の実施の形態に係る折畳式椅子１によれば、一対の前側脚部材３２，３２および一対の後側脚部材３４，３４を蝶番２４の軸を回転中心として、折曲部３２ｂ，３４ｂが互いに近付く方向および互いに遠ざかる方向に回転可能に構成すると共に、座部１４を一対の前側脚部材３２，３２を連結する連結軸５２を介して当該一対の前側脚部材３２，３２に対して回転可能に支持する構成としたため、蝶番２４の軸を回転中心として、一対の前側脚部材３２，３２および一対の後側脚部材３４，３４の折曲部３２ｂ，３４ｂが互いに近付く方向に回転させると共に、座部１４を反時計回りに回転させて当該座部１４の延在方向を一対の前側脚部材３２，３２の長手方向に沿う方向に近付けるのみでコンパクトな折畳み状態を実現できる。また、当該折畳み状態から蝶番２４を回転中心として、一対の前側脚部材３２，３２および後側脚部材３４，３４の折曲部３２ｂ，３４ｂが互いに遠ざかる方向に回転させると共に、座部１４の底面が連結板５４に当接支持されるまで当該座部１４を時計回りに回転させるのみで簡易に組立て状態とすることができる。即ち、工具を用いることなく、また、各部位を分解することなく、組立て状態および折畳み状態を実現することができるため、ユーザーは一人でも容易に組立ておよび折畳みを行うことができる。これにより、組立て後における収納スペースも確保し易いものとなる。
【実施例２】
【００５７】
次に、本発明の第２実施例の折畳式椅子１００について説明する。第２実施例の折畳式椅子１００は、第１実施例の折畳式椅子１に対して転倒防止ストッパー１７０を追加した点を除いて第１実施例の折畳式椅子１と同一のハード構成をしている。したがって、第２実施例の折畳式椅子１００の構成のうち第１実施例の折畳式椅子１のハード構成と同一部分については同一の符号を付し、その詳細な説明を省略する。
【００５８】
第２実施例の折畳式椅子１００では、図２０に示すように、一対の脚部材１２ａ，１２ｂの後側脚部材３４，３４の下側の折曲部３４ｂ，３４ｂに転倒防止ストッパー１７０，１７０が設けらている。転倒防止ストッパー１７０は、図２０および図２１に示すように、後側脚部材３４，３４の折曲部３４ｂ，３４ｂの延出方向（図２１の右方向）に向かって延在する状態となる転倒防止位置と、図２２に示すように、後側脚部材３４，３４の長手方向に沿う状態となる収容位置と、の間で回転可能なように後側脚部材３４，３４に取付けられている。
【００５９】
転倒防止ストッパー１７０は、折畳式椅子１００が組立て縦状態にあるときには、図２１に示すように、回転軸１７２に設けられたストッパー機構、例えば、チェックボール機構１７２ａによって、転倒防止位置を維持するように構成されており、折畳式椅子１００が折畳み状態にあるときには、図２２に示すように、第２ストッパー機構、例えば、第２チェックボール機構１７４によって、収容位置を維持するように構成されている。なお、第２チェックボール機構１７４は、後側脚部材３４に設けられた第２チェックボール１７４ａと、転倒防止ストッパー１７０に形成された凹部１７４ｂと、を備えており、第２チェックボール１７４ａが凹部１７４ｂに係合することによって転倒防止ストッパー１７０が収容位置に維持される。転倒防止ストッパー１７０は、本発明における「転倒防止部材」に対応する実施構成の一例である。
【００６０】
こうして構成された第２実施例の折畳式椅子１００によれば、第１実施例の折畳式椅子１と同様の効果に加えて、利用者が背凭れ部１６に凭れた状態で座部１４に腰掛けた際の後側（背凭れ部１６側）の転倒を確実に防止できる効果を奏する。
【００６１】
第１実施例および第２実施例では、折畳式椅子１，１００が折畳み状態においては、座部１４の延在方向（座部１４の前後方向であって図７の左右方向）が後側脚部材３４，３４の長手方向に沿う方向に近付く構成としたが、これに限らない。例えば、座部１４の延在方向（座部１４の前後方向であって図７の左右方向）が前側脚部材３２，３２の長手方向に沿う方向に近付く構成としても良い。
【００６２】
第１実施例および第２実施例では、座部１４の連結板５４への固定は、ねじ込み式の固定部材８０を用いる構成としたが、これに限らない。固定部材８０に代えて、例えば、図２３に示すように、固定部材１８０を用いる構成としても良い。この場合、固定部材８０が取り付けられる係合金具６２に変えて係合金具１６２を用いれば良い。
【００６３】
固定部材１８０は、固定部材８０に対してネジ部８６をストッパーピン１８６に変えると共にコイルスプリング１８７を追加した点を除いて固定部材８０と同一のハード構成をしている。したがって、固定部材１８０の構成のうち固定部材８０のハード構成と同一部分については同一の符号を付し、その詳細な説明を省略する。また、係合金具１６２は、係合金具６２に対して後面部６２ｂを後面部１６２ｂに変更した点を除いて係合金具６２と同一のハード構成をしている。したがって、係合金具１６２の構成のうち係合金具６２のハード構成と同一部分については同一の符号を付し、その詳細な説明を省略する。
【００６４】
固定部材１８０のストッパーピン１８６は、図２３に示すように、抜け防止部８４に対してネジ係合によって一体に接続されるように構成された軸部１８６ａと、当該軸部１８６ａの抜け防止部８４への接続側とは反対側の端部に一体にされたストッパー部１８６ｂと、から構成されている。
【００６５】
係合金具１６２の後面部１６２ｂは、図２３に示すように、先端部の板厚が他の部分よりも厚く形成された段付き状に構成されており、当該先端部には板厚方向に貫通する段付き孔１９０が形成されている。段付き孔１９０は、連結板５４に対向する面側に開口された小径孔１９２と、連結板５４とは反対側を向く面側に開口された大径孔１９４と、から構成されている。
【００６６】
小径孔１９２の内径は、固定部材１８０のストッパーピン１８６の軸部１８６ａの外径よりも大きく、かつ、コイルスプリング１８７の外径よりも小さい径に形成されている。また、大径孔１９４は、ストッパー部１８６ｂの外径よりも若干大きくなるように形成されている。
【００６７】
固定部材１８０は、取手８２から分解された状態のストッパーピン１８６にコイルスプリング１８７を装着し、当該状態で軸部１８６ａ側から大径孔１９４、小径孔１９２の順に挿入して、軸部１８６ａの先端に取手８２をネジ係合させることによって、係合金具１６２に取り付けられる。なお、大径孔１９４の開口は、プラグＰＬなどによって塞がれる。このとき、コイルスプリング１８７はほぼ自由長となっている。
【００６８】
座部１４の連結板５４への固定は、図２４に示すように、取手８２をコイルスプリング１８７のバネ力に抗して引っ張っることによって軸部１８６ａを小径孔１９２から突出させると共に、当該軸部１８６ａを連結板５４の切欠き５４ａに傾斜部５５ａ、鉛直部５５ｂ、円形部５５ｃの順に係合させて、最後に取手８２の引っ張りを解除することによってコイルスプリング１８７の復元力で固定部材１８０が引き戻されて抜け防止部８４が円形部５５ｃに係合されることにより完了する。
【００６９】
なお、座部１４の連結板５４への固定の解除は、上述した座部１４の連結板５４への固定の手順とは逆の手順を踏むことによって行うことができる。
【００７０】
第１実施例、第２実施例および上述した変形例では、一対の前側脚部材３２，３２を連結軸５２で連結して、当該連結軸５２によって座部１４が一対の前側脚部材３２，３２に対して回転可能に支持される構成としたが、これに限らない。例えば、一対の後側脚部材３４，３４を連結軸５２で連結して、当該連結軸５２によって座部１４が一対の後側脚部材３４，３４に対して回転可能に支持される構成としても良い。この場合、一対の前側脚部材３２，３２は、連結板５４で連結する構成とすることができる。
【００７１】
第１実施例、第２実施例および上述した変形例では、ゴムＲなどの弾性部材を介して折曲部３２ａおよび折曲部３４ａの連結部を肘掛けクッション２２，２２によって覆う構成としたが、これに限らない。例えば、折曲部３２ａおよび折曲部３４ａの連結部をゴムＲを介さず直接肘掛けクッション２２，２２によって覆う構成としても良いし、ゴムＲなどの弾性部材のみによって折曲部３２ａおよび折曲部３４ａの連結部を覆う構成としても良い。
【００７２】
本実施形態は、本発明を実施するための形態の一例を示すものである。したがって、本発明は、本実施形態の構成に限定されるものではない。
【符号の説明】
【００７３】
１          折畳式椅子（折畳式椅子）
１２ａ      脚部材
１２ｂ      脚部材
１４        座部（座部）
１６        背凭れ部（背凭れ部）
１８        足置き台（足置き台）
１８ａ      板状部
１８ｂ      金具
１８ｃ      金具
１９ａ      支持部
１９ｂ      折曲部
１９ｃ      ピン部材
２０        ストッパー（規制部材）
２０ａ      回転軸
２２        肘掛けクッション（被覆部材）
２４        蝶番（第１および第２回転連結部材）
３２        前側脚部材（前側脚部材、前脚本体部）
３２ａ      折曲部（第１前脚折曲部）
３２ｂ      折曲部（第２前脚折曲部）
３４        後側脚部材（後側脚部材、後脚本体部）
３４ａ      折曲部（第１後脚折曲部）
３４ｂ      折曲部（第２後脚折曲部）
５２        連結軸（第１連結梁部材）
５４        連結板（第２連結梁部材）
５４ａ      切欠き
５５ａ      傾斜部
５５ｂ      鉛直部
５５ｃ      円形部
６２        係合金具
６２ａ      上面部
６２ｂ      後面部
８０        固定部材（固定部材）
８２        取手
８４        抜け防止部
８６        ネジ部
１００      折畳式椅子（折畳式椅子）
１６２      係合金具
１６２ｂ    後面部
１７０      転倒防止ストッパー（転倒防止部材）
１７２      回転軸
１７２ａ    チェックボール機構
１７４      第２チェックボール機構
１７４ａ    第２チェックボール
１７４ｂ    凹部
１８０      固定部材（固定部材）
１８６      ストッパーピン
１８６ａ    軸部
１８６ｂ    ストッパー部
１８７      コイルスプリング
１９０      段付き孔
１９２      小径孔
１９４      大径孔
Ｐ１        係止ピン
Ｐ２        係止ピン
Ｒ          ゴム（被覆部材）
ＭＰ        取付ピン
ＰＬ        プラグ
【図１】
2018153280.tif 000003
【図２】
2018153280.tif 000004
【図３】
2018153280.tif 000005
【図４】
2018153280.tif 000006
【図５】
2018153280.tif 000007
【図６】
2018153280.tif 000008
【図７】
2018153280.tif 000009
【図８】
2018153280.tif 000010
【図９】
2018153280.tif 000011
【図１０】
2018153280.tif 000012
【図１１】
2018153280.tif 000013
【図１２】
2018153280.tif 000014
【図１３】
2018153280.tif 000015
【図１４】
2018153280.tif 000016
【図１５】
2018153280.tif 000017
【図１６】
2018153280.tif 000018
【図１７】
2018153280.tif 000019
【図１８】
2018153280.tif 000020
【図１９】
2018153280.tif 000021
【図２０】
2018153280.tif 000022
【図２１】
2018153280.tif 000023
【図２２】
2018153280.tif 000024
【図２３】
2018153280.tif 000025
【図２４】
2018153280.tif 000026